(57)【要約】【課題】  撹拌装置において、処理対象物を処理槽内において満遍なく撹拌する。【解決手段】  処理対象物が収容される処理槽１２が形成されるとともに処理対象物が取り出される排出口１１ｂが形成された筐体１３と、筐体１３の処理槽１２内において略水平方向に設置され、モータ１５により回転されるシャフト１６と、シャフト１６の軸方向に対して所定の間隔を空け、且つ位相を順次ずらしてシャフト１６の軸方向と交差する方向に延びて取り付けられた複数本の撹拌棒１７ａ〜１７ｄと、シャフト１６の回転により回転するそれぞれの撹拌棒１７ａ〜１７ｄの先端に相互に同一の回転方向に傾斜して取り付けられた撹拌板１８と、モータ１５を第１の回転方向およびこれとは反対の第２の回転方向に繰り返し回転させる制御手段１９とを有する構成とする。【選択図】        図１
2005131449.tif 000002
【特許請求の範囲】
【請求項１】
処理対象物が収容される処理槽が形成されるとともに前記処理対象物が取り出される排出口が形成された筐体と、
前記筐体の前記処理槽内において略水平方向に設置され、モータにより回転されるシャフトと、
前記シャフトの軸方向に対して所定の間隔を空け、且つ位相を順次ずらして前記シャフトの軸方向と交差する方向に延びて取り付けられた複数本の撹拌棒と、
前記シャフトの回転により回転するそれぞれの前記撹拌棒の先端に相互に同一の回転方向に傾斜して取り付けられた撹拌板と、
前記モータを第１の回転方向およびこれとは反対の第２の回転方向に繰り返し回転させる制御手段と、を有することを特徴とする撹拌装置。
【請求項２】
前記排出口は、前記筐体の側壁における前記シャフトよりも上側に形成され、
最も前記排出口側の前記撹拌棒に取り付けられた前記撹拌板の先端は前記排出口の形成された前記側壁に向かって傾斜していることを特徴とする請求項１記載の撹拌装置。
【請求項３】
前記制御手段は、撹拌の終了時には、前記モータを所定の一方向に回転させて前記排出口の形成された前記側面寄りに前記処理対象物を移動させることを特徴とする請求項１または２記載の撹拌装置。
【発明の詳細な説明】
【技術分野】
【０００１】
本発明は撹拌装置に関し、特に厨芥やその粉砕物、あるいは排水処理装置で発生する余剰汚泥等を撹拌する撹拌装置に関するものである。
【背景技術】
【０００２】
家庭用や業務用の厨房等で排出される厨芥やその粉砕物、あるいは排水処理で発生する汚泥等などの処理対象物を撹拌、乾燥して減量する装置では、処理槽内の処理対象物を加熱しながら撹拌することで全体に熱を行き渡らせ、効率よく処理が行われるようになっている。
【０００３】
なお、生ごみを撹拌して乾燥する装置としては、たとえば特開平８−１８７４８７号公報や特開平９−２７１７４３号公報において、水平方向に設置された回転軸に取り付けられた撹拌羽根で生ごみを撹拌する技術が開示されている。
【特許文献１】特開平８−１８７４８７号公報
【特許文献２】特開平９−２７１７４３号公報
【発明の開示】
【発明が解決しようとする課題】
【０００４】
前述した特開平８−１８７４８７号公報および特開平９−２７１７４３号公報に記載の技術では、撹拌羽根を単に回転軸に相互に所定の間隔を空けて取り付けているだけなので、処理槽の底面に落下している生ごみをかき上げて十分に撹拌することは困難である。
【０００５】
そこで、本発明は処理対象物を処理槽内において満遍なく撹拌することのできる撹拌装置を提供することを目的とする。
【課題を解決するための手段】
【０００６】
上記課題を解決するため、本発明に係る撹拌装置は、処理対象物が収容される処理槽が形成されるとともに前記処理対象物が取り出される排出口が形成された筐体と、前記筐体の前記処理槽内において略水平方向に設置され、モータにより回転されるシャフトと、前記シャフトの軸方向に対して所定の間隔を空け、且つ位相を順次ずらして前記シャフトの軸方向と交差する方向に延びて取り付けられた複数本の撹拌棒と、前記シャフトの回転により回転するそれぞれの前記撹拌棒の先端に相互に同一の回転方向に傾斜して取り付けられた撹拌板と、前記モータを第１の回転方向およびこれとは反対の第２の回転方向に繰り返し回転させる制御手段と、を有することを特徴とする。
【０００７】
本発明の好ましい形態において、前記排出口は、前記筐体の側壁における前記シャフトよりも上側に形成され、最も前記排出口側の前記撹拌棒に取り付けられた前記撹拌板の先端は前記排出口の形成された前記側壁に向かって傾斜していることを特徴とする。
【０００８】
本発明のさらに好ましい形態において、前記制御手段は、撹拌の終了時には、前記モータを所定の一方向に回転させて前記排出口の形成された前記側面寄りに前記処理対象物を移動させることを特徴とする。
【発明の効果】
【０００９】
本発明によれば以下の効果を奏することができる。
【００１０】
すなわち、本発明によれば、複数の撹拌棒が位相を順次ずらしてシャフトに取り付けられ、撹拌棒の先端に相互に同一の回転方向に傾斜して撹拌板が取り付けられているので、制御手段によりモータが第１の回転方向と第２の回転方向とに反転することにより、生ごみは処理槽内をシャフトの軸方向に往復移動しながら上下方向に回転して撹拌される。これにより、生ごみを処理槽内において満遍なく撹拌することが可能になる。
【００１１】
排出口を筐体の側壁におけるシャフトよりも上側に形成し、最も排出口側の撹拌棒に取り付けられた撹拌板の先端を排出口の形成された側壁に向かって傾斜させることにより、排出された生ごみを受け入れるための容器には、深さがあり容積の大きなものを用いることができるので、生ごみがすぐに容器に一杯になって頻繁に容器を取り替える手間がなくなる。
【００１２】
撹拌の終了時には、モータを所定の一方向に回転させて排出口の形成された側面寄りに処理対象物を移動させることにより、特に取り出しのための作業を行うことなく、排出口から処理槽内の生ごみを外部に排出させることができる。
【発明を実施するための最良の形態】
【００１３】
以下、本発明を実施するための最良の形態を、図面を参照しつつさらに具体的に説明する。なお、ここでの説明は本発明が実施される最良の形態であることから、本発明は当該形態に限定されるものではない。
【００１４】
図１は本発明の一形態である撹拌装置を示す概略図、図２は図１の撹拌装置における撹拌棒のシャフトに対する取り付け位置を示す説明図、図３は図１の撹拌装置における撹拌板の撹拌棒に対する取り付け位置を示す説明図、図４は図１の撹拌装置における排出口側の撹拌棒に取り付けられた撹拌板を示す斜視図、図５は図１の撹拌装置による処理対象物の撹拌状態を示す説明図である。
【００１５】
図１に示す撹拌装置は、家庭用や業務用の厨房等で排出される厨芥あるいはその粉砕物である生ごみ（処理対象物）が投入される投入口１１ａ、および投入された生ごみが収容される処理槽１２が形成された筐体１３を備えている。投入口１１ａには当該投入口１１ａを開閉する蓋１４が取り付けられている。また、筐体１３の側面には、処理後の生ごみを取り出す蓋（図示せず）付きの排出口１１ｂが、後述するシャフト１６よりも上側に設けられている。但し、排出口１１ｂはシャフト１６よりも下側に設けられていてもよい。
【００１６】
筐体１３の処理槽１２内には、モータ１５により回転されるシャフト１６が略水平方向に設置されている。シャフト１６には、このシャフト１６の軸方向に対して所定の間隔を空け、且つシャフト１６の軸方向と交差する方向に延びて複数本の撹拌棒１７ａ〜１７ｄが取り付けられている。そして、撹拌棒１７ａ〜１７ｄの先端には撹拌板１８が固定されている。なお、モータ１５は制御手段１９により回転制御されており、第１の回転方向およびこれとは反対の第２の回転方向に、たとえば１分おきに繰り返し回転する。但し、反転間隔は１分おきではなくてもよい。
【００１７】
これにより、モータ１５によりシャフト１６が回転すると、シャフト１６に取り付けられた撹拌棒１７ａ〜１７ｄと撹拌板１８により処理槽１２の生ごみが撹拌される。
【００１８】
ここで、図２に示すように、複数本の撹拌棒１７ａ〜１７ｄは、位相を順次ずらしてシャフトに取り付けられている。つまり、シャフト１６の一方端に位置する撹拌棒１７ａに対し、この撹拌棒１７ａの隣に位置する撹拌棒１７ｂは位相を４５°ずらして取り付けられている。また、この撹拌棒１７ｂの隣に位置する撹拌棒１７ｃは、撹拌棒１７ｂに対して位相を４５°ずらして取り付けられている。さらに、この撹拌棒１７ｃの隣に位置する撹拌棒１７ｄは、撹拌棒１７ｃに対して位相を４５°ずらして取り付けられている。
【００１９】
また、図３に示すように、撹拌板１８は撹拌棒１７ａ〜１７ｄの回転面Ｓに対して所定の角度（本願では、θ１＝３０°）だけ傾斜して取り付けられている。
【００２０】
さらに、図４に示すように、最も排出口１１ｂ側の撹拌棒１７ａに取り付けられた撹拌板１８の先端は、排出口１１ｂの形成された側壁に向かって、たとえば３０°（θ２＝３０°）だけ傾斜している。
【００２１】
なお、撹拌棒の本数は図示する４本に限定されるものではなく、複数本であればよい。また、撹拌棒の間隔および位相のずれ量は必ずしも等しくなくてもよい。また、撹拌棒１７ａ〜１７ｄは、図示する場合には、シャフト１６の両側に延びているが、片側のみであってもよい。さらに、傾斜角度θ１は３０°に限定されるものではなく、それぞれの撹拌板１８が撹拌棒１７ａ〜１７ｄの回転方向に対して相互に同一の方向に傾斜して取り付けられていれば足りる。そして、傾斜角度θ２も３０°に限定されるものではない。
【００２２】
なお、この撹拌装置には処理槽１２内の生ごみを加熱するヒータ（図示せず）が設けられている。したがって、生ごみは処理槽１２内で加熱されながら撹拌され、乾燥処理されることになる。
【００２３】
次に、このような構成の撹拌装置の撹拌動作について説明する。
【００２４】
制御手段１９によりモータ１５が第１の回転方向に回転を開始すると、位相を順次ずらしてシャフト１６に取り付けられた撹拌棒１７ａ〜１７ｄと、この撹拌棒１７ａ〜１７ｄの先端に相互に同一の回転方向に傾斜して取り付けられた撹拌板１８とにより、生ごみは処理槽１２内における中央部よりもシャフト１６の軸方向の一方側に寄せ集められ、さらに撹拌棒１７ａ〜１７ｄの先端に取り付けられた撹拌板１８でかき上げられて上下方向に回転しながら撹拌される。このときの処理槽１２内における生ごみの位置を図５（ａ）とすると、制御手段１９によりモータ１５が第２の回転方向に反転すると、前述した撹拌棒１７ａ〜１７ｄと撹拌板１８とにより、生ごみは処理槽１２内で撹拌されながらシャフト１６の軸方向に移動して中央部に至り（図５（ｂ））、さらに移動してシャフト１６の軸方向の他方側に寄せ集められ、ここで上下方向に回転しながら撹拌される（図５（ｃ））。
【００２５】
その後、制御手段１９によりモータ１５が再び第１の回転方向に反転すると、生ごみは図５（ｃ）に示す位置からシャフト１６の軸方向に移動して中央部に至り（図５（ｂ））、さらに移動して図５（ａ）に示すシャフト１６の軸方向の一方側に寄せ集められる。
【００２６】
このように制御手段１９によりモータ１５が第１の回転方向と第２の回転方向とに反転することにより、生ごみは処理槽内をシャフト１６の軸方向に往復移動しながら上下方向に回転して撹拌される。したがって、本願によれば、生ごみを処理槽１２内において満遍なく撹拌することが可能になる。
【００２７】
さて、本願の撹拌装置において、所定の撹拌時間（たとえば１２時間）が経過して生ごみの撹拌、乾燥処理が終了したならば、制御手段１９は、モータ１５を所定の一方向（ここでは第１の回転方向）に回転させて排出口１１ｂの形成された側面寄りに生ごみを移動させようになっている。前述のように、最も排出口１１ｂ側の撹拌棒１７ａに取り付けられた撹拌板１８の先端は、排出口１１ｂの形成された側壁に向かって傾斜しているので、生ごみは側面上部に向かって、つまり排出口１１ｂに向かって投げ上げられる。したがって、特に取り出しのための作業を行うことなく、排出口１１ｂの蓋を開くだけで、処理槽１２内の生ごみが排出口１１ｂから外部に排出される。
【００２８】
ここで、排出口１１ｂは、筐体１３の側面におけるシャフト１６よりも上側に設けられていることから、排出された生ごみを受け入れるために筐体１３の外側で排出口１１ｂの直下に設置する容器２０には、深さがあり容積の大きなものを用いることができる。このように大容量の容器２０を排出された生ごみの受け入れに用いることができるので、生ごみがすぐに容器２０に一杯になって頻繁に容器を取り替える手間がなくなる。
【産業上の利用可能性】
【００２９】
以上の説明では、撹拌が行われる処理対象物としては厨芥やその粉砕物である生ごみが例示されているが、これに限定されるものではなく、たとえば排水処理で発生する汚泥など、様々なものを適用することができる。したがって、本願の撹拌装置は生ごみ用の撹拌装置のみならず、様々な固体の撹拌装置に適用することが可能である。
【図面の簡単な説明】
【００３０】
【図１】本発明の一形態である撹拌装置を示す概略図である。
【図２】図１の撹拌装置における撹拌棒のシャフトに対する取り付け位置を示す説明図である。
【図３】図１の撹拌装置における撹拌板の撹拌棒に対する取り付け位置を示す説明図である。
【図４】図１の撹拌装置における排出口側の撹拌棒に取り付けられた撹拌板を示す斜視図である。
【図５】図１の撹拌装置による処理対象物の撹拌状態を示す説明図である。
【符号の説明】
【００３１】
１１ａ  投入口
１１ｂ  排出口
１２  処理槽
１３  筐体
１４  蓋
１５  モータ
１６  シャフト
１７ａ〜１７ｄ  撹拌棒
１８  撹拌板
１９  制御手段
２０  容器
【図１】
2005131449.tif 000003
【図２】
2005131449.tif 000004
【図３】
2005131449.tif 000005
【図４】
2005131449.tif 000006
【図５】
2005131449.tif 000007